(57)【要約】【課題】温水配管を収容する溝部の底部における断熱性の低下を抑制できる温水式床暖房装置及びスペーサ部材を提供する。【解決手段】温水式床暖房装置は、基材１に温水配管３が埋設された温水式床暖房装置である。基材１は、温水配管３を収容する溝部１１と、溝部１１内に設けられ、溝部１１の底面と温水配管３との間に空隙を形成するスペーサ部材２とを備えている。【選択図】図１
2018155419.tif 000002
【特許請求の範囲】
【請求項１】
基材に温水配管が埋設された温水式床暖房装置であって、
前記基材は、
前記温水配管を収容する溝部と、
前記溝部内に設けられ、前記溝部の底面と前記温水配管との間に空隙を形成するスペーサ部材と
を備えている
ことを特徴とする温水式床暖房装置。
【請求項２】
前記スペーサ部材は、前記温水配管の縦断面において前記温水配管の外周部に沿って形成され且つ前記温水配管の上端部に対応する部分が切り欠かれている
ことを特徴とする請求項１記載の温水式床暖房装置。
【請求項３】
前記スペーサ部材が断熱材により構成されている
ことを特徴とする請求項１又は請求項２記載の温水式床暖房装置。
【請求項４】
基材に設けられた溝部に温水配管が収容された温水式床暖房装置に用いられるスペーサ部材であって、
前記温水配管に取り付け可能に構成されると共に、前記溝部の底面と前記温水配管との間に空隙を形成可能に構成されている
ことを特徴とする温水式床暖房装置に用いられるスペーサ部材。
【発明の詳細な説明】
【技術分野】
【０００１】
本発明は、温水式床暖房装置及びスペーサ部材に関する。
【背景技術】
【０００２】
特許文献１には、従来の温水式床暖房装置が開示されている。この特許文献１記載の温水式床暖房装置は、基板の表面に溝が設けられ、この溝に、温水が流通する配管が埋設されている。
【先行技術文献】
【特許文献】
【０００３】
【特許文献１】特開２００６−２０７９１５号公報
【発明の概要】
【発明が解決しようとする課題】
【０００４】
ところで、溝が設けられた基板にあっては、底部に対応する部分の厚みが薄くなる。このため、従来の温水式床暖房装置において、溝に配管を配置すると、薄くなっている溝の底部に直接配管が接触するため、底部での断熱効果が低下するという問題がある。
【０００５】
本発明は、上記事情に鑑みてなされたものであり、その目的とするところは、温水配管を収容する溝部の底部における断熱性の低下を抑制できる温水式床暖房装置及びスペーサ部材を提供することにある。
【課題を解決するための手段】
【０００６】
本発明に係る一態様の温水式床暖房装置は、基材に温水配管が埋設された温水式床暖房装置であって、前記基材は、前記温水配管を収容する溝部と、前記溝部内に設けられ、前記溝部の底面と前記温水配管との間に空隙を形成するスペーサ部材とを備えていることを特徴とする。
【０００７】
この構成によれば、溝部の底面と、温水配管との間に断熱層を形成することができるため、溝部の底面下方の肉厚が薄くても、断熱性を確保することができる。この結果、溝部の底部における断熱性の低下を抑制できる。
【０００８】
またこの温水式床暖房装置において、前記スペーサ部材は、前記温水配管の縦断面において前記温水配管の外周部に沿って形成され且つ前記温水配管の上端部に対応する部分が切り欠かれていることが好ましい。
【０００９】
この構成によれば、温水配管を基材の上面に敷かれる床仕上げ材に近接させることができるため、温水配管から発せられる熱を効果的に床面に向かって伝えることができる。
【００１０】
またこの温水式床暖房装置において、前記スペーサ部材が断熱材により構成されていることが好ましい。
【００１１】
この構成によれば、温水配管からスペーサ部材を介して溝部に伝導する熱量を小さくすることができ、一層、溝部の底部における断熱性の低下を抑制できる。
【００１２】
また本発明の一態様のスペーサ部材は、基材に設けられた溝部に温水配管が収容された温水式床暖房装置に用いられるスペーサ部材であって、前記温水配管に取り付け可能に構成されると共に、前記溝部の底面と前記温水配管との間に空隙を形成可能に構成されている。
【００１３】
この構成によれば、スペーサ部材を取り付けた状態の温水配管を溝部に収容させるだけで、溝部の底面と、温水配管との間に断熱層を形成することができる。この結果、溝部の底部における断熱性の低下を抑制できる。
【発明の効果】
【００１４】
本発明の温水式床暖房装置及びスペーサ部材によれば、温水配管を収容する溝部の底部における断熱性の低下を抑制できる。
【図面の簡単な説明】
【００１５】
【図１】本発明の一実施形態の床暖房装置の縦断面図である。
【図２】同上の温水配管にスペーサ部材を取り付けた状態の斜視図である。
【図３】同上の図１に直交する鉛直面に沿った断面図である。
【発明を実施するための形態】
【００１６】
以下、本発明の実施形態について添付図面に基づいて説明する。
【００１７】
本実施形態の温水式床暖房装置は、熱源機に接続された温水配管３が基材１に埋設されている。温水式床暖房装置は、図１に示すように、基材１と、温水配管３と、アルミ材５と、床仕上げ材６とを備えている。
【００１８】
基材１は、温水式床暖房装置の主体を構成する部分である。本実施形態の基材１は、パネル状に形成された断熱材により構成されており、具体的には、ビーズ法ポリスチレンフォーム（ＥＰＳ）により構成されている。基材１は、平面視において蛇行するように全面にわたって形成された溝部１１と、スペーサ部材２とを備えている。
【００１９】
溝部１１は、基材１の表面から下方に凹没するように形成されている。溝部１１の上方には、温水配管３を挿通可能な開口部１２が設けられており、断面上向きＣ字状に形成されている。開口部１２の幅方向の寸法は、基材１の縦断面において、溝部１１の最も広い部分１３の幅（直径）よりも短く形成されている。溝部１１は、その内周面が円弧状に形成されており、長さ方向に一様な断面に形成されている。
【００２０】
スペーサ部材２は、溝部１１内に配置されて、溝部１１の底面と温水配管３との間に空隙４（図３）を形成する。ここで、「溝部１１の底面」とは、溝部１１の最下点を跨いだ一定の範囲を有する領域をいう。本実施形態において、溝部１１の底面とは、溝部１１の内周面において上向きの領域（溝部１１の最も広い幅部分よりも下方の部分）の面をいう。本実施形態における溝部１１の底面は、円弧状に形成されている。
【００２１】
スペーサ部材２は、温水配管３の縦断面において温水配管３の外周部に沿うような形状に形成されている。また、スペーサ部材２は、上端部に切欠部２１を有している。切欠部２１は、温水配管３の上端部に対応する部分を切除した部分である。スペーサ部材２の上端は、温水配管３の中心軸を通る水平面よりも上方に位置しており、且つ、当該上端の内側の縁が、温水配管３の最も広い幅部分よりも内側に位置している。従って、スペーサ部材２を温水配管３に対し、下方から嵌め込むと、スペーサ部材２が温水配管３の外周面に保持される。
【００２２】
また、スペーサ部材２の上端面は、直径方向に延びており、水平面に対して傾斜している。このため、スペーサ部材２の上端面は、スペーサ部材２を温水配管３に対して下方から嵌め込む際の案内面となる。
【００２３】
スペーサ部材２の外周面は、溝部１１の内周面と一致するように構成されている。スペーサ部材２は、例えば、厚さ１〜２ｍｍに形成された断熱材により構成されている。スペーサ部材２は、例えば、基材１と同じ材質のビーズ法ポリスチレンフォーム（ＥＰＳ）により構成される。
【００２４】
スペーサ部材２は、図２に示すように、温水配管３の長手方向に一定の間隔を置いて配置される。具体的に、スペーサ部材２は、１０ｃｍ〜２０ｃｍピッチで配置されるのが好ましい。また、スペーサ部材２において、温水配管３の長手方向に平行な方向の寸法（以下、幅という）は、１０ｍｍ〜５０ｍｍ程度に形成されることが好ましい。
【００２５】
このように構成されたスペーサ部材２は、例えば、温水配管３に取り付けられた状態で、溝部１１に嵌め込まれる。すると、図３に示すように、溝部１１の底面と温水配管３との間には空隙４が形成される。特に、本実施形態においては、溝部１１の底面と温水配管３との間だけでなく、溝部１１の内周面と温水配管３との間に空隙４が形成される。この溝部１１と温水配管３との間の空隙４は、断熱層として働くため、温水配管３から放射する熱が基材１の底部に伝わりにくくできる。また、スペーサ部材２の幅を１０ｍｍ〜５０ｍｍに形成することで、温水配管３からスペーサ部材２に伝導する熱を最小限とすることができ、底部へ伝導する熱を低減することができる。
【００２６】
溝部１１に収容された温水配管３は、図１に示すように、その上端が基材１の上面と略同一面上に位置する。このような構成の基材１の上面には、アルミ材５が全面にわたって重ねられる。本実施形態のアルミ材５は、アルミ箔により構成されている。そして、アルミ材５には、フロアパネル等の床仕上げ材６が敷設される。従って、温水配管３を基材１の上面に敷設されるアルミ材５に効果的に接触させることができ、温水配管３から発せられる熱を床仕上げ材６に伝導しやすくできる。
【００２７】
〔効果〕
以上説明したように、本実施形態の温水式床暖房装置は、基材１に温水配管３が埋設された温水式床暖房装置である。基材１は、温水配管３を収容する溝部１１と、溝部１１内に設けられ、溝部１１の底面と温水配管３との間に空隙４を形成するスペーサ部材２とを備えている。
【００２８】
この構成によれば、溝部１１の底面と、温水配管３との間に断熱層を形成することができるため、溝部１１の底面下方の肉厚が薄くても、断熱性を確保することができる。この結果、溝部１１の底部における断熱性の低下を抑制できる。
【００２９】
また、本実施形態の床暖房装置は、次の付加的な構成を備える。すなわち本実施形態の温水式床暖房装置において、スペーサ部材２は、温水配管３の縦断面において温水配管３の外周部に沿って形成され且つ温水配管３の上端部に対応する部分が切り欠かれている。
【００３０】
この構成によれば、温水配管３を基材１の上面に敷かれる床仕上げ材６に近接させることができるため、温水配管３から発せられる熱を効果的に床面に向かって伝えることができる。
【００３１】
また、本実施形態の床暖房装置は、スペーサ部材２が断熱材により構成されている。
【００３２】
この構成によれば、温水配管３からスペーサ部材２に伝導する熱量を小さくすることができ、溝部１１の底面側への伝熱を抑制することができる。
【００３３】
また、本実施形態のスペーサ部材２は、基材１に設けられた溝部１１に温水配管３が収容された温水式床暖房装置に用いられるスペーサ部材２である。スペーサ部材２は、温水配管３に取り付け可能に構成されると共に、溝部１１の底面と温水配管３との間に空隙４を形成可能に構成されている。
【００３４】
この構成によれば、スペーサ部材２を取り付けた状態の温水配管３を溝部１１に収容させるだけで、溝部１１の底面と、温水配管３との間に断熱層を形成することができる。この結果、溝部１１の底部における断熱性の低下を抑制できる。
【００３５】
〔応用〕
上記実施形態のスペーサ部材２は、基材１とは別体に構成されたが、例えば、基材１の溝部１１の内周面にスペーサ部材２を一体に設けてもよい。
【００３６】
上記実施形態のスペーサ部材２は、温水配管３の縦断面において温水配管３の外周部に沿って形成されたが、例えば、溝部１１の底面の一部と、温水配管３との間にブロック状に形成されたものであってもよい。また、スペーサ部材２は、ＥＰＳでなくてもよく、例えば、ポリスチレンフォームや、木材により構成されてもよい。さらに、スペーサ部材２は断熱材でなくてもよい。
【００３７】
その他、上記実施形態の構成は、本発明の主旨を逸脱しない範囲であれば、適宜設計変更を行うことができる。
【符号の説明】
【００３８】
１      基材
１１    溝部
１２    開口部
１３    溝部の最も広い部分
２      スペーサ部材
２１    切欠部
３      温水配管
４      空隙
５      アルミ材
６      床仕上げ材
【図１】
2018155419.tif 000003
【図２】
2018155419.tif 000004
【図３】
2018155419.tif 000005